(57)【要約】【課題】網戸の外観を良好にするとともに、網戸の取付け取り外しの作業性を良くする。【解決手段】網戸6の框7A、7C端部であって框7A、7C内部に配設されるケース部材10と、該ケース部材10の内部にスライド可能に収容され、先端部が網戸6の縦框7Cの側面から突出可能とされる施錠部材11と、ケース部材10の室内側に軸支されることによって回動自在とされ、前記軸支部12aよりケース部材10の内部側に突出し施錠部材11に係合する作動部12b及びケース部材10の外部側に突出する把手部12cからなる操作レバー12とから構成され、把手部12cを一方向側に回動操作することにより、該操作レバー12の回動動作に連動して施錠部材11が突出方向にスライド動作し、施錠部材11が網戸6の縦框7C側面から突出して窓枠5に係合し施錠状態となる。【選択図】図８
2010159589.tif 000002
【特許請求の範囲】
【請求項１】
網戸の框端部であって框内部に配設されるケース部材と、該ケース部材の内部にスライド可能に収容され、先端部が前記網戸の框周面から突出可能とされる施錠部材と、前記ケース部材の室内側に軸支されることによって回動自在とされ、前記軸支部より前記ケース部材の内部側に突出し前記施錠部材に係合する作動部及びケース部材の外部側に突出する把手部からなる操作レバーとから構成され、
前記操作レバーの把手部を一方向側に回動操作することにより、該操作レバーの回動動作に連動して前記施錠部材が突出方向にスライド動作し、前記施錠部材が網戸の框周面から突出して窓枠に係合する施錠状態と、前記操作レバーの把手部を他方向側に回動操作することにより、該操作レバーの回動動作に連動して前記施錠部材が没入方向にスライド動作し、前記施錠部材と窓枠との係合が解除される解錠状態とに切替え可能とされることを特徴とする網戸固定装置。
【請求項２】
前記操作レバーの把手部を框の室内側面に対して沿わせる方向に回動操作することにより前記施錠状態とされ、前記操作レバーの把手部を框の室内側面に対して起立させる方向に回動操作することにより前記解錠状態とされている請求項１記載の網戸固定装置。
【請求項３】
前記施錠部材は、網戸の左右の縦框の側面上部からそれぞれ側方に向けて突出可能に設けられている請求項１、２いずれかに記載の網戸固定装置。
【請求項４】
前記操作レバーは、前記作動部の部材軸と把手部の部材軸とが、前記軸支部で鈍角方向に交差している請求項１〜３いずれかに記載の網戸固定装置。
【請求項５】
前記施錠部材には、室内外方向に弾性変位可能とされるスライド方向の突出片が設けられるとともに、この突出片の先端に前記ケース部材の内面と摺動する凸状部が設けられ、前記ケース部材には前記施錠状態及び解錠状態において前記凸状部が係合し前記施錠部材の位置決めを行う凹状部又は通孔が設けられている請求項１〜４いずれかに記載の網戸固定装置。
【請求項６】
上框、下框及び縦框によって構成された框内に網戸が張設され、前記框内部に請求項１〜５いずれかに記載の網戸固定装置を備えたことを特徴とする網戸。
【請求項７】
請求項６記載の網戸を備えたことを特徴とするサッシ。
【発明の詳細な説明】
【技術分野】
【０００１】
本発明は、網戸を窓枠に固定するための網戸固定装置及び網戸、サッシに関する。
【背景技術】
【０００２】
一般に、建物開口部には、該建物開口部に固定される窓枠に対して、障子が開閉可能に取付けられるとともに、網戸が取付けられている。ここで、前記網戸を窓枠に固定するための網戸固定構造として種々のものが提案されている。
【０００３】
例えば、下記特許文献１では、窓枠の左右の縦框に面内方向に突出した突出片を有し、網戸の左右の縦框に網戸を窓枠に固定する網戸固定ピースが設けられ、該網戸固定ピースは、前記突出片に係止すべく面内外方向に回動可能に軸支され、一端に操作部を有する係止部材と、該係止部材を面外方向へ付勢する付勢部材とを備えた網戸固定ピースが開示されている。
【０００４】
また、下記特許文献２では、網戸の上下移動を規制することを目的として、網戸の上部２隅に配置されるコーナーピースに外れ止め部材を回動可能に設け、前記外れ止め部材は、網戸の取付け取り外し作業時には前方（室外側）に倒されており、網戸を取り付けたなら、前記外れ止め部材を起こして室外側側片部と小窓枠の上部区画面との間に介在させるようにしたものが開示されている。
【先行技術文献】
【特許文献】
【０００５】
【特許文献１】特開２００２−２６６５６９号公報
【特許文献２】特開２００７−１６２３７８号公報
【発明の概要】
【発明が解決しようとする課題】
【０００６】
しかしながら、上記特許文献１記載の網戸固定ピースでは、窓枠の左右の縦框に設けられた突出片に、係止部材が係止することによって網戸が窓枠に固定される構造であるため、前記突出片及び係止部材が窓枠から突出し、外観が損なわれるという問題があった。
【０００７】
また、上記特許文献２記載の外れ止め部材では、前記外れ止め部材が網戸の室外側に倒されるものであるため、網戸の取付け取り外し作業を室外側から行わなければならず、作業性が悪かった。
【０００８】
そこで本発明の主たる課題は、網戸の外観を良好にするとともに、網戸の取付け及び取り外しの作業性を良くすることにある。
【課題を解決するための手段】
【０００９】
前記課題を解決するために請求項１に係る本発明として、網戸の框端部であって框内部に配設されるケース部材と、該ケース部材の内部にスライド可能に収容され、先端部が前記網戸の框周面から突出可能とされる施錠部材と、前記ケース部材の室内側に軸支されることによって回動自在とされ、前記軸支部より前記ケース部材の内部側に突出し前記施錠部材に係合する作動部及びケース部材の外部側に突出する把手部からなる操作レバーとから構成され、
前記操作レバーの把手部を一方向側に回動操作することにより、該操作レバーの回動動作に連動して前記施錠部材が突出方向にスライド動作し、前記施錠部材が網戸の框周面から突出して窓枠に係合する施錠状態と、前記操作レバーの把手部を他方向側に回動操作することにより、該操作レバーの回動動作に連動して前記施錠部材が没入方向にスライド動作し、前記施錠部材と窓枠との係合が解除される解錠状態とに切替え可能とされることを特徴とする網戸固定装置が提供される。
【００１０】
上記請求項１記載の発明では、網戸の框端部であって框内部にケース部材を配設し、該ケース部材の内部に施錠部材がスライド可能に収容され、この施錠部材の先端部が網戸の框周面から突出可能とされ、施錠部材が網戸の框周面から突出して窓枠に係合することによって施錠状態とされているため、網戸固定装置が外面から目視されることがなく、網戸の外観を良好にすることができる。
【００１１】
さらに、網戸固定装置の施錠状態及び解錠状態を切替え操作する操作レバーがケース部材の室内側に軸支されるとともに、ケース部材の外部側に操作レバーの把手部が突出して設けられるため、網戸の取付け取り外し作業が室内側から行うことができ、作業性が良くなる。
【００１２】
請求項２に係る本発明として、前記操作レバーの把手部を框の室内面に対して沿わせる方向に回動操作することにより前記施錠状態とされ、前記操作レバーの把手部を框の室内面に対して起立させる方向に回動操作することにより前記解錠状態とされている請求項１記載の網戸固定装置が提供される。
【００１３】
上記請求項２記載の発明は、施錠状態及び解錠状態における操作レバーの把手部の操作方向を規定したものであり、框の室内側面に対して沿わせる方向に回動操作することにより施錠状態とし、框の室内側面に対して起立させる方向に回動操作することにより解錠状態としたものである。これにより、網戸の施錠状態において、框から操作レバーの把手部が起立せず、納まりよく網戸を固定することができる。
【００１４】
請求項３に係る本発明として、前記施錠部材は、網戸の左右の縦框の側面上部からそれぞれ側方に向けて突出可能に設けられている請求項１、２いずれかに記載の網戸固定装置が提供される。
【００１５】
上記請求項３記載の発明は、網戸の框に網戸固定装置を設ける好ましい位置を規定したものである。
【００１６】
請求項４に係る本発明として、前記操作レバーは、前記作動部の部材軸と把手部の部材軸とが、前記軸支部で鈍角方向に交差している請求項１〜３いずれかに記載の網戸固定装置が提供される。
【００１７】
上記請求項４記載の発明では、操作レバーとして、作動部の部材軸と把手部の部材軸とが、前記軸支部で鈍角方向に交差するように構成することによって、操作レバーの把手部の回動操作による前記操作レバーの回動動作に連動して前記施錠部材がスムーズにスライド動作できるようになっている。
【００１８】
請求項５に係る本発明として、前記施錠部材には、室内外方向に弾性変位可能とされるスライド方向の突出片が設けられるとともに、この突出片の先端に前記ケース部材の内面と摺動する凸状部が設けられ、前記ケース部材には前記施錠状態及び解錠状態において前記凸状部が係合し前記施錠部材の位置決めを行う凹状部又は通孔が設けられている請求項１〜４いずれかに記載の網戸固定装置が提供される。
【００１９】
上記請求項５記載の発明は、施錠状態及び解錠状態において施錠部材の位置決めを行うための手段を規定したものである。
【００２０】
請求項６に係る本発明として、上框、下框及び縦框によって構成された框内に網戸が張設され、前記框内部に請求項１〜５いずれかに記載の網戸固定装置を備えたことを特徴とする網戸が提供される。
【００２１】
請求項７に係る本発明として、請求項６記載の網戸を備えたことを特徴とするサッシが提供される。
【発明の効果】
【００２２】
以上詳説のとおり本発明によれば、網戸の外観を良好にできるとともに、網戸の取付け及び取り外しの作業性が良くなる。
【図面の簡単な説明】
【００２３】
【図１】本発明に係る網戸固定装置１を取り付けた窓の縦断面図である。
【図２】その横断面図である。
【図３】網戸６の要部拡大斜視図である。
【図４】その室内側からの正面図である。
【図５】(A)は施錠状態、(B)は解錠状態を示す、網戸固定装置１の斜視図である。
【図６】網戸固定装置１の(A)は室内側からの外観図、(B)は網戸の框周面側からの外観図、(C)は(A)の下面図である。
【図７】(A)は上框７Ａの斜視図、(B)は縦框７Ｃの斜視図である。
【図８】(A)は施錠状態、(B)は解錠状態を示す横断面図である。
【図９】ケース部材１０の斜視図である。
【図１０】ケース部材１０を示す、(A)は正面図、(B)は右側面図、(C)は(A)のＣ−Ｃ線矢視図である。
【図１１】施錠部材１１の斜視図である。
【図１２】施錠部材１１を示す、(A)は正面図、(B)は(A)のＢ−Ｂ線矢視図、(C)は右側面図、(D)は背面図である。
【図１３】操作レバー１２の斜視図である。
【図１４】操作レバー１２を示す、(A)は正面図、(B)は底面図、(C)は左側面図である。
【発明を実施するための形態】
【００２４】
以下、本発明の実施の形態について図面を参照しながら詳述する。
【００２５】
図１は本発明に係る網戸固定装置１を取り付けた窓の縦断面図であり、図２はその横断面図、図３は網戸６の要部拡大斜視図、図４はその室内側からの正面図である。
【００２６】
図１及び図２に示される内倒し窓２は、上框３Ａ、下框３Ｂ、縦框３Ｃ、３Ｄによって構成されたフレーム枠３内にパネルＰが嵌め込まれた障子４と、上枠５Ａ、下枠５Ｂ、縦枠５Ｃ，５Ｄからなり、前記障子４を収容する窓枠５とによって構成されている。前記障子４は、前記下框３Ｂの下面に、前記窓枠５の下枠５Ｂから立設され頂部が半円弧状に形成された支持部５ａに回動可能に摺動する摺接面３ａが設けられるとともに、縦框３Ｃ、３Ｄ及び縦枠５Ｃ、５Ｄの下端側において両者を連結するように設けられた内倒し用開閉アーム９，９によって支持され、前記摺接面３ａ部を回動中心として室内側に倒れて開閉できるようになっている。また、前記上框３Ａの中央部に施・解錠装置が設けられ、前記上枠５Ａ側に突出するラッチ３ｂによって、閉止時に自動的に施錠されるようになっている。
【００２７】
前記障子４の室外側には網戸６が備えられている。この網戸６は、上框７Ａ、下框７Ｂ、縦框７Ｃ，７Ｄによって構成された框７内に網材８が張設されたものであり、前記窓枠５に対して後述する網戸固定装置１によって固定されている。
【００２８】
以下、前記網戸固定装置１の構造について具体的に詳述する。
【００２９】
網戸固定装置１は、図４〜図６に示されるように、網戸６の上框７Ａ及び縦框７Ｃとが交差する端部であって、これら上框７Ａ及び縦框７Ｃの内部に配設されるケース部材１０と、該ケース部材１０の内部にスライド可能に収容され、先端部が網戸６の縦框７Ｃの側面上部に設けられた開口７ａ（図７(B)参照）から突出可能とされる施錠部材１１と、前記ケース部材１０の室内側において、軸支持部１２ａによって軸支されることによって回動自在とされ、この軸支部１２ａより前記ケース部材１０の内部側に突出し、前記施錠部材１１に係合する作動部１２ｂ及びケース部材１０の外部側に突出するとともに、前記網戸６の上框７Ａの室内側面に設けられた開口７ｂ（図７(A)参照）部位から突出する把手部１２ｃからなる操作レバー１２とから構成されている。
【００３０】
かかる網戸固定装置１は、図２に示されるように、右の縦框７Ｄの上部にも設けられ、左右一対で構成されている。以下、左の縦框７Ｃ上部に設けられる網戸固定装置１について具体的に説明する。
【００３１】
前記網戸固定装置１は、網戸６に取り付けた状態で、図８(A)に示されるように、前記操作レバー１２の把手部１２ｃを一方向側に回動操作することにより、該操作レバー１２の回動操作に連動して前記施錠部材１１が突出方向にスライド動作し、前記施錠部材１１が網戸６の縦框７Ｃ側面から突出して窓枠の縦枠５Ｃに係合する施錠状態と、図８(B)に示されるように、操作レバー１２の把手部１２ｃを他方向側に回動操作することにより、該操作レバー１２の回動動作に連動して前記施錠部材１１が没入方向にスライド動作し、前記施錠部材１１と窓枠の縦枠５Ｃとの係合が解除される解錠状態とに切替え可能となっている。
【００３２】
前記ケース部材１０は、図９及び図１０に示されるように、中心部に前記施錠部材１１がスライドする中空部を有する断面略四角形の筒状本体１０ａを有し、その一方の開口端の上縁には、網戸６の上框７Ａの上端面とほぼ同じ断面形状の固定片１０ｂが延在して形成されている。前記固定片１０ｂは、網戸固定装置１を網戸６の上框７Ａ及び縦框７Ｃ内部に配設する際、図３及び図４に示されるように、上框７Ａの上端面の端部に連続して設け、上框７Ａと縦框７Ｃとをビス７ｃで連結することによって、ケース部材１０が上框７Ａ及び縦框７Ｃの内部に固定されるようになっている。
【００３３】
また、前記ケース部材１０の本体１０ａの室内側には、前記操作レバー１２を軸支する支軸１３を挿通するための通孔１０ｄ、１０ｄを備えた略コの字形に突出して形成されたフランジ１０ｃが設けられるとともに、このフランジ１０ｃで囲まれた部分にはケース部材１０の中空部に貫通する開口１０ｅが設けられている。
【００３４】
前記施錠部材１１は、図１１及び図１２に示されるように、断面略矩形の棒状部材とされ、前記ケース部材１０の中空部内にスライド可能に収容される。この施錠部材１１には、前記操作レバー１２の作動部１２ｂが係合するための係合部１１ａが形成されている。図示例では、前記係合部１１ａは、操作レバー１２に形成される中間突部１２ｆ、１２ｆ（後述）が係合可能なように、正面視で略十字状の開口とされている。
【００３５】
前記施錠部材１１には、内外方向（図１２(B)に示される断面図では紙面上下方向）に弾性変位可能とされるスライド方向（図１２(B)に示される断面図では紙面左右方向）の突出片１１ｂが設けられるとともに、この突出片１１ｂの先端に、施錠部材１１の外面から突出し、前記ケース部材の内面と摺動する凸状部１１ｃが設けられている。他方、前記ケース部材１０には、図１０に示されるように、施錠状態及び解錠状態において前記凸状部１１ｃが係合し、施錠部材１１の位置決めを行う通孔１０ｆ、１０ｇがそれぞれ設けられている。前記通孔１０ｆ、１０ｇに替えて、前記凸状部１１ｃが係合可能な凹状部としてもよい。
【００３６】
前記操作レバー１２は、図１３及び図１４に示されるように、中間部に、略円柱状に形成されるとともに、支軸１３が挿通可能な貫通孔１２ｄが形成された軸支部１２ａが設けられている。また、この軸支部１２ａよりケース部材１０の内部側に突出し、端部が前記施錠部材１１の係合部１１ａと係合する作動部１２ｂが設けられるとともに、前記軸支部１２ａよりケース部材１０の外部側に突出し、網戸６の上框７Ａの室内側に突出する操作部１２ｃが設けられている。
【００３７】
前記操作レバー１２は、作動部１２ｂの部材軸と把手部１２ｃの部材軸とが、前記軸支部１２ａで鈍角方向に交差して構成されている。これにより、把手部１２ｃを回動させると、軸支部１２ａを回動中心として、作動部１２ｂがケース部材１０の内部において回動するようになる。
【００３８】
前記作動部１２ｂの先端には円柱状の先端部１２ｅが設けられるとともに、前記軸支部１２ａと先端部１２ｅとの間が板状に形成されるとともに、前記板状部の各面中央部に、軸支部１２ａと先端部１２ｅとを結合するように中間突部１２ｆ、１２ｆが形成されている。この中間突部１２ｆ、１２ｆは、前述の通り、十字状の開口からなる施錠部材１１の係合部１１ａとの係合状態を確実に維持するために設けられるものである。
【００３９】
上記網戸固定装置１の組立ては、ケース部材１０の内部に施錠部材１１をスライド可能に収容した状態で、操作レバー１２の作動部１２ｂを前記ケース部材１０の開口１０ｅから施錠部材１１の係合部１１ａに係合させ、前記操作レバー１２の軸支部１２ａをケース部材１０のフランジ１０ｃに嵌装して通孔１０ｄ、１０ｄ及び貫通孔１２ｄを貫通する支軸１３を挿入することにより行われる。
【００４０】
かかる網戸固定装置１の網戸６への取付けは、図７に示されるように、上框７Ａ及び縦框７Ｃの各開口７ｂ、７ａから、それぞれ網戸固定装置１の操作レバー１２及び施錠部材１１の先端部を臨ませるように嵌装した状態で、各框７Ａ、７Ｃを組み合わせ、ビス７ｃによって連結することによって固定される（図４参照）。
【００４１】
〔他の形態例〕
(1)上記形態例では、内倒し窓２に備えられる網戸６について詳述したが、外倒し窓、引き違い窓など他の形態の窓に備えられる網戸についても同様にして適用できる。
(2)上記形態例では、左右一対の網戸固定装置１、１が、網戸６の左右の縦框７Ｃ、７Ｄからそれぞれ側方に向けて突出可能に設けられるようにしたが、網戸固定装置１の配置場所、施錠部材１１の突出方向及び網戸固定装置１の取付数量などは任意に設定することができる。
【符号の説明】
【００４２】
１…網戸固定装置、２…内倒し窓、３…フレーム枠、４…障子、５…窓枠、６…網戸、７…框、８…網材、１０…ケース部材、１１…施錠部材、１２…操作レバー、１３…支軸、Ｐ…パネル
【図１】
2010159589.tif 000003
【図２】
2010159589.tif 000004
【図３】
2010159589.tif 000005
【図４】
2010159589.tif 000006
【図５】
2010159589.tif 000007
【図６】
2010159589.tif 000008
【図７】
2010159589.tif 000009
【図８】
2010159589.tif 000010
【図９】
2010159589.tif 000011
【図１０】
2010159589.tif 000012
【図１１】
2010159589.tif 000013
【図１２】
2010159589.tif 000014
【図１３】
2010159589.tif 000015
【図１４】
2010159589.tif 000016